(57)【要約】【課題】  三原色座標系から色相や彩度を表す座標系に変換し、彩度を補正した後、再び三原色座標系に変換するという煩わしさをなくし、かつホワイトバランスにずれやノイズが生じた場合でも、無彩色に対する色ずれを軽減する。【解決手段】  三原色座標系を色相座標空間に変換し、色相座標空間に複数の領域（Ｚ１からＺ９）を設定する。領域Ｚ１は、原点からの距離が短く、無彩色と見なされる領域であり、他の領域（Ｚ２〜Ｚ９）は有彩色の領域である。各画素がどの領域に存在するかを判断して、輝度変換係数と色差変換係数を求め、輝度信号変換と色差信号変換を行う。これにより、色再現処理を行う際に画像データに対して彩度補正処理を行うことができ、座標系の再変換処理をなくし、無彩色に対する色ずれを軽減する。【選択図】      図４
2006270592.tif 000002
【特許請求の範囲】
【請求項１】
第１色成分と第２色成分と第３色成分から成る入力画像データから、（第１色成分−第３色成分）と（第２色成分−第３色成分）を単位系とする色相座標系を求める座標変換手段と、
前記色相座標系の座標に応じて複数の領域を定める領域設定手段と、
前記入力画像データの各画素について前記色相座標系における座標を求め、求めた座標に基づいて前記領域に分類する領域分類手段と、
前記入力画像データの各画素について、前記分類された領域毎にあらかじめ定められた輝度変換係数と色差変換係数を用いて色再現する色再現手段と
を有することを特徴とする画像処理装置。
【請求項２】
第１色成分と第２色成分と第３色成分から成る入力画像データから、（第１色成分−第２色成分）と（第１色成分−第３色成分）を単位系とする色相座標系を求める座標変換手段と、
前記色相座標系の座標に応じて複数の領域を定める領域設定手段と、
前記入力画像データの各画素について前記色相座標系における座標を求め、求めた座標に基づいて前記領域に分類する領域分類手段と、
前記入力画像データの各画素について、前記分類された領域毎にあらかじめ定められた輝度変換係数と色差変換係数を用いて色再現する色再現手段と
を有することを特徴とする画像処理装置。
【請求項３】
第１色成分と第２色成分と第３色成分から成る入力画像データから、（第１色成分−第３色成分）と（第２色成分−第３色成分）を単位系とする色相座標系を求める座標変換手段と、
前記入力画像データの各画素について前記色相座標系における座標を求め、前記色相座標系の原点と前記求めた座標とに基づいて彩度補正を行う彩度補正手段と
を有することを特徴とする画像処理装置。
【請求項４】
第１色成分と第２色成分と第３色成分から成る入力画像データから、（第１色成分−第２色成分）と（第１色成分−第３色成分）を単位系とする色相座標系を求める座標変換手段と、
前記入力画像データの各画素について前記色相座標系における座標を求め、前記色相座標系の原点と前記求めた座標とに基づいて彩度補正を行う彩度補正手段と
を有することを特徴とする画像処理装置。
【請求項５】
請求項３又は請求項４に記載の画像処理装置において、
前記色相座標系の原点と前記求めた座標との距離を求め、求めた距離に応じて彩度補正量を格納しているルックアップテーブルを有することを特徴とする画像処理装置。
【請求項６】
請求項３又は請求項４に記載の画像処理装置において、
前記求めた座標に応じた彩度補正量を格納しているルックアップテーブルを有することを特徴とする画像処理装置。
【請求項７】
請求項３又は請求項４に記載の画像処理装置において、
前記彩度補正手段は、彩度補正量を前記色相座標系の原点と前記求めた座標との距離に基づいて、補間法によって求めることを特徴とする画像処理装置。                                                                               
【発明の詳細な説明】
【技術分野】
【０００１】
本発明は画像処理装置に関し、特に色再現処理を行う際に入力画像データに対して彩度補正処理を行うのに適した画像処理装置に関する。
【背景技術】
【０００２】
従来の画像処理装置における色の彩度補正処理は、色再現処理が行われた後のカラー画像データ（例えば、ＪＰＥＧ画像等）を対象にして実行されていた。
具体的には、従来の彩度補正処理は、色再現処理の行われたカラー画像（ＪＰＥＧ画像等）に対して、彩度が小さくなる程もっと彩度が小さくなるように補正したり（特許文献１、２、３参照）、彩度が所定値以下では小さくなるように補正し、彩度が所定値以上では大きくするように補正をしたり（特許文献４参照）して、色相、彩度、輝度に対応させて適宜彩度補正を行っていた（特許文献５参照）。
【０００３】
色再現処理が行われた後のカラー画像データは、輝度信号と色差信号により表示されるデータ形式（例えば、輝度信号Ｙ、色差信号Ｃｂ、Ｃｒ）であり、このようなデータ形式の場合には、簡単に色相と彩度と輝度の各情報を得ることができる。したがって、これらの情報を用いて彩度補正を行うことは比較的容易である。
【特許文献１】特開平０７−４６６２３号公報
【特許文献２】特開２０００−２２４６０７号公報
【特許文献３】特開２００２−３３９３１号公報
【特許文献４】特開２０００−１５２０１８号公報
【特許文献５】特開２００３−８５５４５号公報
【発明の開示】
【発明が解決しようとする課題】
【０００４】
前記したように、色再現処理が輝度信号と色差信号により表現されるデータ形式のカラー画像データを用いて彩度補正を行うことは容易である。
しかし、ＴｉｆｆやＢＭＰ（ビットマップ）と呼ばれるＲ、Ｇ、Ｂの三原色出力形式の色再現処理が行われた後のカラー画像データに対して彩度補正を行うと、次のような問題が生じる。
【０００５】
第１に、Ｒ、Ｇ、Ｂの三原色によるデータ形式の場合、色相、彩度、輝度の各情報を得るため、一度色相や彩度を表す座標系（輝度信号Ｙ、色差信号Ｃｂ、Ｃｒ）に変換し、変換された座標系において彩度を補正し、補正された彩度をＲ、Ｇ、Ｂの三原色によるデータ形式に戻すため、再度元の座標系（Ｒ、Ｇ、Ｂ）に変換しなければならないという煩わしさが生じる。
【０００６】
第２に、色再現処理によりカラー画像データを得る前の段階の三原色データ（Ｒ、Ｇ、Ｂ）を考える。例えば（Ｒ−Ｇ）及び（Ｂ−Ｇ）の色相座標空間により色相を判定し、色相毎の変換係数により色差信号を求める場合、無彩色（モノクロ）は基本的にＲ＝Ｇ＝Ｂであるため（Ｒ−Ｇ）＝（Ｂ−Ｇ）＝０となるはずである。しかしながら、ホワイトバランスのずれやノイズに起因して、（Ｒ−Ｇ）≠（Ｂ−Ｇ）≠０が成立しなくなり、色相の判定にばらつきが生じ、色相毎に最適化された変換係数によって色差信号を求めても、無彩色の領域で微妙な色づきが発生してしまう。
【０００７】
本発明は、前記した問題点に鑑み為されたもので、色再現処理後に再び彩度補正処理を行うという煩わしさや、三原色出力形式における彩度補正の煩わしさをなくし、かつホワイトバランスにずれやノイズが生じた場合でも、無彩色に対する色ずれを軽減することが可能な画像処理装置を提供することを目的とする。
【課題を解決するための手段】
【０００８】
請求項１に記載の画像処理装置は、第１色成分と第２色成分と第３色成分から成る入力画像データから、（第１色成分−第３色成分）と（第２色成分−第３色成分）を単位系とする色相座標系を求める座標変換手段と、色相座標系の座標に応じて複数の領域を定める領域設定手段と、入力画像データの各画素について色相座標系における座標を求め、求めた座標に基づいて領域に分類する領域分類手段と、入力画像データの各画素について、分類された領域毎にあらかじめ定められた輝度変換係数と色差変換係数を用いて色再現する色再現手段とを有することを特徴とする。
【０００９】
請求項２に記載の画像処理装置は、第１色成分と第２色成分と第３色成分から成る入力画像データから、（第１色成分−第２色成分）と（第１色成分−第３色成分）を単位系とする色相座標系を求める座標変換手段と、色相座標系の座標に応じて複数の領域を定める領域設定手段と、入力画像データの各画素について色相座標系における座標を求め、求めた座標に基づいて領域に分類する領域分類手段と、入力画像データの各画素について、分類された領域毎にあらかじめ定められた輝度変換係数と色差変換係数を用いて色再現する色再現手段とを有することを特徴とする。
【００１０】
請求項３に記載の画像処理装置は、第１色成分と第２色成分と第３色成分から成る入力画像データから、（第１色成分−第３色成分）と（第２色成分−第３色成分）を単位系とする色相座標系を求める座標変換手段と、入力画像データの各画素について色相座標系における座標を求め、色相座標系の原点と求めた座標とに基づいて彩度補正を行う彩度補正手段とを有することを特徴とする。
【００１１】
請求項４に記載の画像処理装置は、第１色成分と第２色成分と第３色成分から成る入力画像データから、（第１色成分−第２色成分）と（第１色成分−第３色成分）を単位系とする色相座標系を求める座標変換手段と、入力画像データの各画素について色相座標系における座標を求め、色相座標系の原点と求めた座標とに基づいて彩度補正を行う彩度補正手段とを有することを特徴とする。
【００１２】
請求項５に記載の画像処理装置は、請求項３又は請求項４に記載の画像処理装置において、色相座標系の原点と求めた座標との距離を求め、求めた距離に応じて彩度補正量を格納しているルックアップテーブルを有することを特徴とする。
請求項６に記載の画像処理装置は、請求項３又は請求項４に記載の画像処理装置において、求めた座標に応じた彩度補正量を格納しているルックアップテーブルを有することを特徴とする。
【００１３】
請求項７に記載の画像処理装置は、請求項３又は請求項４に記載の画像処理装置において、彩度補正手段は、彩度補正量を色相座標系の原点と前記求めた座標との距離に基づいて、補間法によって求めることを特徴とする。
【発明の効果】
【００１４】
本発明によれば、色再現処理後に再び彩度補正処理を行うという煩わしさや、三原色出力形式における彩度補正の煩わしさがなくなる。
また、本発明によれば、ホワイトバランスにずれが生じても、無彩色に対する色ずれを軽減することができる。
【発明を実施するための最良の形態】
【００１５】
以下、本発明の一実施形態について説明する。
図１は、本発明の一実施形態を示すブロック図である。この実施形態は、電子カメラに本発明を適用したものであり、全ての請求項に対応する。
図１において、１は撮影レンズ、２ＣＣＤ等の撮像素子、３はＡ／Ｄ変換器、４はバッファメモリ、５はＣＰＵ、６は電子カメラの操作系、７はＡＳＩＣ（Application Specific Integrated Circuits :特定用途向け集積回路）、８はＲＯＭ、９はメモリカード、１０はインターフェイス（例えば、ＵＳＢ）、１１はバスである。
【００１６】
なお、請求項に記載する座標変換手段、領域設定手段、領域分類手段、色再現手段、彩度補正手段は、ＣＰＵ５、ＲＯＭ８、ＡＳＩＣ７等が対応する。なお、ＡＳＩＣ７がＣＰＵ５の役割を実行する場合もある。
（実施形態の第１の動作）
次に、図１に示す実施形態の第１の動作について説明する。なお、電子カメラの撮影系は周知であるので、本実施形態における処理に関係する部分についてのみ説明する。ここで、電子カメラのＣＰＵ５は、ＲＯＭ８に格納された制御プログラムに基づいて、撮影前の準備制御を含む様々な制御を行い、またＡＳＩＣ７が以下に説明する彩度補正処理を行う。
【００１７】
すなわち、撮像素子２は撮影レンズ１を通して得られた光学像をアナログ信号に変換し、このアナログ信号はＡ／Ｄ変換器３を介して、例えば１２ビットのデジタル信号（Ｒ、Ｇ、Ｂ）に変換される。こうして、撮像素子２から電子カメラに色再現処理されていない画像データ（Ｒ、Ｇ、Ｂ）が入力される。
電子カメラに入力された画像データ（Ｒ、Ｇ、Ｂ）は、バッファメモリ４に一時格納された後、ＡＳＩＣ７に入力される。
【００１８】
ＡＳＩＣ７は、色再現処理されていない画像データ（Ｒ、Ｇ、Ｂ：ＲＡＷデータ）に対して、環境色温度によりＲ、Ｇ、Ｂの各画像データに対して色温度補正を行うため、ホワイトバランス処理（Ｒ＝Ｇ＝Ｂとなるように所定のゲインを乗算する処理）を行う。
また、ＡＳＩＣ７は、１２ビットの画像信号（Ｒ、Ｇ、Ｂ）に対して、図２に示すように、階調特性に応じたガンマ変換処理（以降の処理において扱いやすい８ｂｉｔデータへの変換）を行う。図２に示す曲線γは、階調特性変換曲線である。
【００１９】
ＡＳＩＣ７は、ガンマ変換処理が行われた後、図３（ａ）に示す撮像素子２（図１参照）のモザイク配列による１画素一色のＲデータ、Ｇデータ、Ｂデータを、図３（ｂ）に示すように１画素三色の画像データとして処理する色補間処理を行う。すなわち、各画素の画像データにＲ、Ｇ、Ｂの各データを持たせる。すなわち、図３（ａ）は撮像素子２の各画素に設けられた色フィルタ（Ｒ、Ｇ、Ｂのいずれか一色）に相当する画像データであり、図３（ｂ）は画素毎に周囲の画素の色を考慮して色補間処理により、Ｒ、Ｇ、Ｂの各データを持たせるためものである。図３（ｂ）では、図示するように、図３（ａ）の各画素に示すＲデータ、Ｇデータ、Ｂデータを用いて、（Ｒ−Ｇ）を新Ｒデータ、（Ｂ−Ｇ）を新Ｂデータとしている。なお、Ｇデータについては加工することなく、そのままの値を用いている。
【００２０】
次に、ＡＳＩＣ７は、画素毎に色再現処理を行うため、図３（ｂ）に示す（Ｒ−Ｇ）データ（新Ｒデータ）と（Ｂ−Ｇ）データ（新Ｂデータ）から、図４に示すように、画素毎に（Ｒ−Ｇ）と（Ｂ−Ｇ）の座標で表される色相座標空間を作成する。図４においては、色相座標空間は、Ｚ１〜Ｚ９の９個の領域に分割されているが、分割数は任意でよい。なお、色相座標空間の分割は、図４に示すような例に限定されず、色相座標空間の原点を中心として、原点からの距離に応じた同心円状の分割領域を設定しても良い。
【００２１】
ここで、領域Ｚ１は、（Ｒ−Ｇ）と（Ｂ−Ｇ）とが共にゼロに近い領域であり、無彩色とみなされている（図４参照）。
図５は、図４に示す９個の領域Ｚ１〜Ｚ９を色相により分類したものである。各画素は、（Ｒ−Ｇ）と（Ｂ−Ｇ）で定まる色相座標に基づき、領域Ｚ１〜Ｚ９の何れかに該当する。
【００２２】
また、各領域Ｚ１〜Ｚ９の何れかに該当する画素は、色相座標に変換された当該座標に該当する領域の色相となる。色相としては、図４に示すように、無彩色、有彩色（例えば青系１、赤系１、赤系２等）があらかじめ定められている。
そして、領域Ｚ１〜Ｚ９には、あらかじめ輝度変換係数と色差変換係数が定められており、当該画素の存在する領域の輝度変換係数と色差変換係数を用いて輝度変換と色変換を行う。このとき、当該画素が領域Ｚ１〜Ｚ９の何れに該当するかを判別しているため、色変換処理とともに、彩度補正が行われる。
【００２３】
すなわち、彩度が（Ｒ−Ｇ）、（Ｂ−Ｇ）の色相座標空間における原点からの距離に応じて定まるからである。したがって、領域を多く分割した方が精度よく色変換と彩度補正を行うことができる。
輝度信号Ｙの変換と色差信号Ｃｂ、Ｃｒの変換は、一般に、（Ｒ、Ｇ、Ｂ）に対して、次の式（１）〜（３）によって行うことができる。
【００２４】
すなわち、輝度信号Ｙは、
Ｙ＝ＹＧｎ×Ｇ＋ＹＢｎ×（Ｂ−Ｇ）＋ＹＲｎ×（Ｒ−Ｇ）……（１）
により変換される。
また、色差信号Ｃｂ、Ｃｒは、
Ｃｂ＝ＫＢＢｎ×（Ｂ−Ｇ）＋ＫＢＲｎ×（Ｒ−Ｇ）＋ＫＣｂ……（２）
Ｃｒ＝ＫＲＢｎ×（Ｂ−Ｇ）＋ＫＲＲｎ×（Ｒ−Ｇ）＋ＫＣｒ……（３）
により変換される。これらの計算は、ＡＳＩＣ７において行われる。
【００２５】
ここで、輝度変換係数ＹＧｎ、ＹＢｎ、ＹＲｎ及び色差変換係数ＫＢＢｎ、ＫＢＲｎ、ＫＲＢｎ、ＫＲＲｎは、色相座標空間における分割された領域毎に設定される係数であり、例えば色相座標空間をＺ１〜Ｚ９（９色相）に領域分割したとすれば、図６に示すように９種類の係数設定が可能である。ここで、領域Ｚ１は無彩色であるため、領域Ｚ１の色差変換係数ＫＢＢ１〜ＫＲＲ１としては、トータルで色差がゼロになる値が定められている。また、領域Ｚ１は無彩色であるため、輝度信号Ｙの変換は行わなくてもよい。さらに、式（２）（３）において、ＫＣｂ、ＫＣｒは色差信号Ｃｂ、Ｃｒを正の値にするための色差信号オフセット値である。
【００２６】
ＡＳＩＣ７は、例えば図６に示す表を格納したルックアップテーブルを参照して、前記計算を行う。第１の動作では、上記したように色再現処理が行われる。
以上の説明から明らかなように、実施形態の第１の動作によれば、色再現処理を行う際に入力画像データに対して彩度補正処理を行うことができる。そのため、三原色（Ｒ、Ｇ、Ｂ）座標系から色相や彩度を表す座標系（輝度信号Ｙ、色差信号Ｃｂ、Ｃｒ）に変換し、彩度を補正したあと再び三原色（Ｒ、Ｇ、Ｂ）座標系に変換するという煩わしさをなくし、かつホワイトバランスにずれやノイズが生じても、前記領域Ｚ１に対する色差信号Ｃｂ、Ｃｒを補正するため、無彩色に対する色ずれも軽減することができる。
（実施形態の第２の動作）
次に、図１に示す実施形態の第２の動作について説明する。第２の動作が第１の動作と異なるのは、図４に示す領域Ｚ１が定められておらず、（Ｒ−Ｇ）、（Ｂ−Ｇ）の色相座標空間における原点からの距離Ｄに応じて無彩色と有彩色を判断したり、距離Ｄに応じて彩度補正係数を変更する等の点である。なお、第２の動作において第１の動作と同一部分は、その説明を省略する。すなわち、第２の動作においても、第１の動作において説明した輝度信号変換と色差信号変換の手順は同一である。
【００２７】
第２の動作では、図７の色相座標空間に示すように、図４に示す無彩色の領域Ｚ１等は存在しない。その代わり、第２の動作においては、図７に示す色相座標空間において、原点からの距離Ｄを次の式（４）
【００２８】
【数１】
2006270592.tif 000003
【００２９】
により算出し、算出された距離Ｄの値と判定値ＴＨとを比較する。比較の結果、距離Ｄが判定値ＴＨより小さければ無彩色、大きければ有彩色と判定する。彩度補正係数ＫＳｎは、距離Ｄに応じて求める。
ＡＳＩＣ７は、彩度補正係数ＫＳｎをルックアップテーブルから求める場合、図８及び図９に示すように、距離Ｄに対応する値を参照する。図８は距離Ｄを大まかに取った例であり、図９は距離Ｄを細かく取った例である。図９に示す方が、彩度を細かく補正できる。
【００３０】
色差信号Ｃｂ、Ｃｒは、彩度補正係数ＫＳｎを用いて、次のように補正される。なお、図８と図９から明らかなように、無彩色と判定された領域についても、色差信号Ｃｂ、Ｃｒの補正を行うことができる。
Ｃｂ＝Ｃｂ×ＫＳｎ
Ｃｒ＝Ｃｒ×ＫＳｎ
次に、図１０と図１１を用いて、彩度補正の係数補間により、彩度補正係数ＫＳｎを求める方法について説明する。すなわち、図１０に示すように、色相座標空間における原点からの距離Ｄを複数の領域（領域境界値ＫＳＴｎ：ｎ＝１，２，…６）に分割し、各領域境界値ＫＳＴｎに適用される彩度補正係数（ＫＳＹｎ：ｎ＝１，２，…６）を用いて、彩度補正の係数補間により、正確な彩度補正係数ＫＳｎを求める。境界領域値ＫＳＴｎと彩度補正係数ＫＳＹｎの関係は、あらかじめ求められているものとする。
【００３１】
図１０は、領域境界値ＫＳＴｎと、各境界領域値ＫＳＴｎに適用される各彩度補正係数ＫＳＹｎとの関係を示す図であり、図１１は彩度補正の係数補間により彩度補正係数を求める場合の具体例を示す説明図である。図１０と図１１において、前記ｎは１〜６である。ここで、彩度補正係数ＫＳＹ６は１．０であり、これは彩度補正係数ＫＳｎの補正が行われない無補正の場合を意味する。なお、図１１における点ａは、彩度補正の係数補間によって求められる彩度補正係数ＫＳＹを示している。
【００３２】
図１０と図１１から明らかなように、ＫＳＴ（ｎ＋１）とＫＳＴｎの間は、彩度補正の係数補間により、彩度補正係数ＫＳＹｎが次の式（５）
【００３３】
【数２】
2006270592.tif 000004
【００３４】
によって求められる。ＡＳＩＣ７は、この彩度補正の係数補間処理を行う。
言うまでもなく、各領域境界値ＫＳＴｎ（ｎ＝１，２，…６）における各彩度補正係数ＫＳｎは、ＫＳＹｎ（ｎ＝１，２，…６）である。
以上の説明から明らかなように、実施形態の第２の動作によれば、色再現処理を行う際に入力画像データに対して彩度補正処理を行うことができる。そのため、三原色（Ｒ、Ｇ、Ｂ）座標系から色相や彩度を表す座標系（輝度信号Ｙ、色差信号Ｃｂ、Ｃｒ）に変換し、彩度を補正したあと再び三原色（Ｒ、Ｇ、Ｂ）座標系に変換するという煩わしさをなくし、かつホワイトバランスにずれやノイズが生じても、色差信号Ｃｂ、Ｃｒを補正するため、無彩色に対する色ずれも軽減することができる。
【００３５】
以上に説明した実施形態においては、色差変換係数は各領域（Ｚ１，Ｚ２等）毎に異なる値を設定したが、本発明はこれに限定されるものではなく、各領域（Ｚ１，Ｚ２等）において同一の値を設定してもよい。
また、以上に説明した実施形態においては、色相座標空間における原点からの距離Ｄに応じて彩度補正係数を求めて色再現を行ったが、本発明はこれに限定されるものではなく、色相座標空間における座標位置に基づいて彩度補正係数を求めてもよい。この演算処理は、ＡＳＩＣ７において行う。
【００３６】
さらに、以上に説明した実施形態においては、色相座標空間を（Ｒ−Ｇ）と（Ｂ−Ｇ）から作成したが、本発明はこれに限定されるものではなく、（Ｒ−Ｂ）と（Ｇ−Ｂ）、（Ｇ−Ｒ）と（Ｂ−Ｒ）、（Ｒ−Ｇ）と（Ｒ−Ｂ）、（Ｇ−Ｒ）と（Ｇ−Ｂ）、（Ｂ−Ｒ）と（Ｂ−Ｇ）の各組み合わせを用いて、色相座標空間を構成してもよい。すなわち、第１、第２の色成分から第３の色成分を減算する場合と、第１の色成分から第２、第３の色成分を減算する場合にも、色相座標空間が成立する。
【００３７】
さらに、以上に説明した実施形態においては、ルックアップテーブルに彩度補正係数を格納する例を示したが、本発明はこれに限定されるものではなく、色相座標系の原点と求めた座標との距離を求めて、求めた距離に対応する彩度補正量をルックアップテーブルに格納するようにしてもよい。また、求めた座標に応じた彩度補正量をルックアップテーブルに格納するようにしてもよい。
【産業上の利用可能性】
【００３８】
本発明は、デジタルカメラ等に搭載される画像処理装置の分野において、大いに利用することがきる。
【図面の簡単な説明】
【００３９】
【図１】本発明の一実施形態を示すブロック図である。
【図２】ガンマ変換処理の説明図である。
【図３】１画素につき一色の入力画像データを１画素につき三色の入力画像データに変換処理する手順の説明する図である。
【図４】画素毎に（Ｒ−Ｇ）と（Ｂ−Ｇ）の座標で表される色相座標空間を示す図である。
【図５】図４に示す９個の領域Ｚ１〜Ｚ９を色相により分類した図である。
【図６】図４に示す９個の領域Ｚ１〜Ｚ９に対応する輝度変換係数と色差変換係数とを示す図である。
【図７】画素毎に（Ｒ−Ｇ）と（Ｂ−Ｇ）の座標で表される色相座標空間を示す図である。
【図８】彩度補正係数をルックアップテーブルから求める際の例を示す図である。
【図９】彩度補正係数をルックアップテーブルから求める際の例を示す図である。
【図１０】彩度補正の係数補間によって彩度補正係数を求めるための説明図である。
【図１１】彩度補正の係数補間により彩度補正係数を求める場合の具体例を示す説明図である。
【符号の説明】
【００４０】
１  撮影レンズ、２  ＣＣＤ、３  Ａ／Ｄ変換器、４  バッファメモリ、５  ＣＰＵ、６  操作系、７  ＡＳＩＣ、８  ＲＯＭ、９  メモリカード、１０  インターフェイス、１１  バス、Ｃｂ，Ｃｒ  色差信号、Ｄ  原点からの距離、ＫＳｎ，ＫＳＹｎ  彩度補  正係数、ＫＳＴｎ  領域境界値、Ｙ  輝度信号、Ｚ１，Ｚ２〜Ｚ９  領域                                                                              
【図１】
2006270592.tif 000005
【図２】
2006270592.tif 000006
【図３】
2006270592.tif 000007
【図４】
2006270592.tif 000008
【図５】
2006270592.tif 000009
【図６】
2006270592.tif 000010
【図７】
2006270592.tif 000011
【図８】
2006270592.tif 000012
【図９】
2006270592.tif 000013
【図１０】
2006270592.tif 000014
【図１１】
2006270592.tif 000015